(57)【要約】  【課題】  マイクロホン２７を保持して着衣等に取付けるためのクリップにおいて、机上に安定に載置することができるスタンド機能を付与する。  【解決手段】  クリップのベース１０と底板３２との間に一対の支持脚４２を組込み、これらの支持脚４２の係合ピン４４を底板３２の一対のカム溝４１に係合させるとともに、支持脚４２の支点ピン４５を摺動子４８のピン孔４９に係合させる。すると摺動子４８の移動によって、カム溝４１の形状によって支持脚４２が開閉動作を行なうようになる。【選択図】  図１
2005101776.tif 000002
【特許請求の範囲】
【請求項１】
一対の開閉自在な支持脚と、
前記一対の支持脚を開閉する摺動子と、
を具備し、前記摺動子が復動位置にあるときには前記一対の支持脚が収納位置にあり、前記摺動子を往動させると前記一対の支持脚が開放されて支持し得る状態になることを特徴とする支持装置。
【請求項２】
前記摺動子によって前記一対の支持脚が開閉自在に支持されるとともに、筐体側にカムが形成され、前記摺動子の摺動動作に伴って前記一対の支持脚が移動すると前記カムによって前記一対の支持脚が開閉動作を行なうことを特徴とする請求項１に記載の支持装置。
【請求項３】
前記摺動子によって前記一対の支持脚の支点部分が開閉自在に支持されるとともに、筐体側にカム溝が形成され、前記一対の支持脚の係合部が前記カム溝に係合され、前記摺動子を摺動させると前記カム溝によって前記一対の支持脚が開閉動作を行なうことを特徴とする請求項２に記載の支持装置。
【請求項４】
マイクロホンのクリップに設けられ、前記一対の支持脚を開くと前記クリップがマイクロホン用のスタンドとなることを特徴とする請求項１に記載の支持装置。
【請求項５】
前記支持脚が底板の内側に収納されることを特徴とする請求項１に記載の支持装置。
【請求項６】
携帯用電子機器の操作ユニットに設けられ、該操作ユニットを載置するときに前記一対の支持脚を開くことを特徴とする請求項１に記載の支持装置。
【請求項７】
開閉自在であって、所定の物品を保持した状態で挟むようにしたクリップにおいて、
収納可能な支持脚を設け、該支持脚を開くとスタンドとして機能することを特徴とする支持装置を有するクリップ。
【請求項８】
前記クリップがマイクロホンを保持することを特徴とする請求項７に記載の支持装置を有するクリップ。
【発明の詳細な説明】
【技術分野】
【０００１】
本発明は支持装置および支持装置を有するクリップに係り、とくに開閉自在な支持脚を備える支持装置および支持装置を有するクリップに関する。
【背景技術】
【０００２】
小型のマイクロホンを支持するために、クリップが用いられる。マイクロホン用クリップは着衣、例えば上着のポケットや襟の部分に挟着することによって、この位置にマイクロホンを保持するようになっている。
【０００３】
このような従来のマイクロホン用クリップは、小さくすることと、挟むことを主たる目的とするものである。すなわち従来のマイクロホン用クリップは、挟む以外の機能を備えていなかった。従ってユーザにとってはクリップ自体は上記の挟む目的以外にはメリットがあまりなかった。また従来のクリップは、マイクロホンを保持して挟むだけの機能であるのにもかかわらず、部品点数が多く、コストの割には利便性が低い問題があった。
【０００４】
また従来のマイクロホン用クリップは、着衣の襟等にマイクロホンを保持する機能しか持っておらず、例えば机上に安定にマイクロホンを支持することができず、このためにクリップそれ自体の用途が著しく限定される問題があった。
【発明の開示】
【発明が解決しようとする課題】
【０００５】
本願発明の課題は、安定的に物を支持することが可能な支持装置を提供することである。
【０００６】
本願発明の別の課題は、マイクロホンを保持した状態で机上で安定に支持することが可能なマイクロホン用クリップに適用して好適な支持装置を提供することである。
【０００７】
本願発明の別の課題は、マイクロホンを保持するクリップに対してさらに別の機能を付与することが可能な支持装置を提供することである。
【０００８】
本願発明のさらに別の課題は、利便性を高めるようにしたクリップの支持装置を提供することである。
【０００９】
本願発明のさらに別の課題は、スタンドとして機能する支持装置を有するクリップを提供することである。
【課題を解決するための手段】
【００１０】
本願の主要な発明は、一対の開閉自在な支持脚と、
前記一対の支持脚を開閉する摺動子と、
を具備し、前記摺動子が復動位置にあるときには前記一対の支持脚が収納位置にあり、前記摺動子を往動させると前記一対の支持脚が開放されて支持し得る状態になることを特徴とする支持装置に関するものである。
【００１１】
ここで前記摺動子によって前記一対の支持脚が開閉自在に支持されるとともに、筐体側にカムが形成され、前記摺動子の摺動動作に伴って前記一対の支持脚が移動すると前記カムによって前記一対の支持脚が開閉動作を行なうことが好ましい。また前記摺動子によって前記一対の支持脚の支点部分が開閉自在に支持されるとともに、筐体側にカム溝が形成され、前記一対の支持脚の係合部が前記カム溝に係合され、前記摺動子を摺動させると前記カム溝によって前記一対の支持脚が開閉動作を行なうことが好ましい。またマイクロホンのクリップに設けられ、前記一対の支持脚を開くと前記クリップがマイクロホン用のスタンドとなることが好ましい。また前記支持脚が底板の内側に収納されることが好ましい。また携帯用電子機器の操作ユニットに設けられ、該操作ユニットを載置するときに前記一対の支持脚を開くことが好ましい。
【００１２】
本願の別の主要な発明は、開閉自在であって、所定の物品を保持した状態で挟むようにしたクリップにおいて、
収納可能な支持脚を設け、該支持脚を開くとスタンドとして機能することを特徴とする支持装置を有するクリップに関するものである。ここで前記クリップがマイクロホンを保持することが好ましい。
【００１３】
本願発明の好ましい態様は、マイクロホンを保持するクリップにおいて、収納できる支持脚を設けるようにしたものであって、収納される支持脚は、例えば幅が１０ｍｍ程度の筐体の中に収まるとともに、露出時にはその約３倍の幅を持つように角度を持って拡がり、安定したスタンドになるようにしたものであって、挟むだけのクリップの機能にスタンドの機能を付加することによって利便性を向上させるようにしたものである。
【００１４】
このような態様によめば、最低限の構造で、従来とほぼ同じ大きさでしかもスタンドの機能が付加され、大幅に利便性が向上する。すなわち従来は挟むだけであった機能に、スタンドの要素が加わることで、挟んで使う従来の利便性を有するとともに、さらに卓上での使用が可能になり、会議、演説、音楽録音等、あらゆる使用環境でマイクロホン本体を使うことができるようになる。また着衣に挟んだときにおいても、上記支持脚を開くとこの支持脚がクリップの姿勢の安定化に寄与することになる。
【発明の効果】
【００１５】
本願の主要な発明は、一対の開閉自在な支持脚と、一対の支持脚を開閉する摺動子と、を具備し、摺動子が復動位置にあるときには一対の支持脚が収納位置にあり、摺動子を往動させると一対の支持脚が開放されて支持し得る状態になるようにしたものである。
【００１６】
従ってこのような支持装置によれば、摺動子を往動させて一対の支持脚を開放させることにより、支持脚で支持し得る状態になってスタンドの機能を有することになる。またこのスタンドの機能が不要な場合には、摺動子を復動させることにより一対の支持脚が収納位置に収まるようになる。
【発明を実施するための最良の形態】
【００１７】
以下本願発明を図示の実施の形態によって説明する。図１〜図４は本実施の形態のマイクロホン用クリップを示すものであって、このマイクロホン用クリップはベース１０と押えレバー１１とを備え、これらの部材によって着衣の襟の部分等に挟んで取付けるようになっており、このクリップに保持されているマイクロホン２７を安定的に人体に保持できるようにしている。
【００１８】
ベース１０はその基端側であって、その両側に一対の壁部１２を備えるとともに、壁部１２間を横切るように取付けられるピン１３によって上記押えレバー１１を回動可能に支持するようになっている。しかもピン１３には押えばね１４が介装される。そして上記ピン１３が押えレバー１１の一対のブラケット１５のピン挿通孔１６を貫通するようになっている。従って押えばね１４によって押えレバー１１は着衣を挟むように機能することになる。
【００１９】
上記ベース１０の上面には一対の突部２０が形成されるとともに、これらの突部２０に対応するように押えレバー１１の下面であってその先端側の部分には凹部２１が形成される。また押えレバー１１の上面には支持台２２が取付けられるとともに、この支持台２２の挿通孔２３にほぼＵ字状をなす受け２４の支軸２５が挿入され、押えレバー１１の下側からねじで固着されるようになっている。受け２４の内周部には突条２６が周方向に沿って形成され、このような突条２６がマイクロホン２７の外周面上の周溝２８に係合される。
【００２０】
上記ベース１０の下面には底板３２が取付けられる。底板３２の長さ方向の両端には雌ねじ孔３３、３４が形成されている。そしてビス３５、３６がベース１０の長さ方向の両端のビス挿通孔３７、３８を挿通し、上記雌ねじ孔３３、３４に螺着され、これによってベース１０と底板３２とが互いに結合される。
【００２１】
上記底板３２の上面には一対のカム溝４１が形成されている。なおこれらのカム溝４１間の間隔の幅は図１０および図１１に示すように、右方に行くに従って次第に狭くなっている。そして上記カム溝４１が形成されている底板３２上に一対の支持脚４２が取付けられる。支持脚４２はその先端側の部分に下方へ突出した突部４３を備えており、底板３２の先端側であってその両側に形成された保持用凹部４０に受入れられるようになっている。また支持脚４２の基端側であって下面には係合ピン４４が形成され、これらの係合ピン４４は上記カム溝４１に受入れられている。また支持脚４２の上面には支点ピン４５が形成されている。
【００２２】
上記支持脚４２の上部には摺動自在に摺動子４８が配されている。摺動子４８は一対のピン孔４９を備えるとともに、これらのピン孔４９が支持脚４２の支点ピン４５を受入れている。従って支持脚４２は支点ピン４５およびピン孔４９によって摺動子４８に回動自在に支持されることになる（図１０、図１１参照）。
【００２３】
上記摺動子４８には後方に延びるように弾性片５０が連設されている。弾性片５０の先端側であって上面に突部５１が形成され、この突部５１がベース１０の下面に形成されている一対の凹部５２（図１１参照）の内の一方に選択的に係合することによって、往動位置と復動位置とで摺動子４８を安定に保持している。また摺動子４８には側方に突出するように操作子５３が連設され、この操作子５３によって摺動子４８をベース１０の下面に沿ってその長さ方向に指で移動させるようにしている。
【００２４】
次に以上のような構成のマイクロホン用クリップの使用方法について説明する。図２に示すように、マイクロホン２７の外周面に形成されている周溝２８に受け２４の突条２６を係合させ、これによって受け２４でマイクロホン２７を保持する。そしてこのクリップの押えレバー１１の図２において左端の上側の部分を指で押えることにより、押えレバー１１を開いて着衣の縁に押えレバー１１の凹部２１とベース１０の突部２０で挟んで固定する。これによってこのクリップを用いてマイクロホン２７を着衣の一部であって胸の位置に安定に保持することが可能になる。なおこのときには摺動子４８を図２および図３において左方に移動させて一対の支持脚４２をベース１０と底板３２との間の隙間の位置に保持しておく。このときに支持脚４２の先端側の突部４３が底板３２の保持用凹部４０に収納された状態になる（図３参照）。
【００２５】
これに対してこのマイクロホン２７を机上に載置する場合には、支持脚４２を開いてこのクリップをスタンドとして利用する。
【００２６】
この動作はマイクロホン２７をクリップとして使用する場合と同様に、その周溝２８を受け２４の突条２６を係合させ、これによってこのクリップでマイクロホン２７を支持する。またベース１０と底板３２との間に収納されている支持脚４２を図５〜図７に示すように開いて側方に突出させる。すなわち摺動子４８を図５および図６において右方へ移動させることによって、支持脚４２を側方へ斜めに突出させるようにしている。
【００２７】
図８は底板３２の上面を示し、これに対して図９は底板３２の下面を示している。そしてこのような底板３２を取外したときのベース１０の下面の状態が図１０および図１１に示される。図１０に示す状態で、摺動子４８を右方へ移動させる。支持脚４２はその支点ピン４５が摺動子４８のピン孔４９によって回動可能に支持されており、しかも支持脚４２の係合ピン４４が底板３２のカム溝４１に係合されている。そしてカム溝４２は右方に行くに従ってそれらの間の間隔が次第に狭くなっている。従ってこのようなカム溝４１の間隔の変化によって、摺動子４８が右方に移動すると、上記カム溝４１のカム作用によって支持脚４２が互いに離間するように開かれることになる（図１１参照）。
【００２８】
このようにベース１０の側方に一対の支持脚４２が突出するように開かれるために、クリップがスタンドとして機能するようになり、机上においてマイクロホン２７を安定に支持することが可能になる。従って会議や演説、あるいは音楽録音等の種々の使用環境においてマイクロホン２７を用いて集音を行なうことが可能になる。
【００２９】
上記一対の支持脚４２はこのクリップをスタンドとして使用する場合以外にも開くことができる。すなわちクリップを着衣の襟やネクタイ等に挟んだ場合に、支持脚４２を開いて使用してもよい。支持脚４２を開くとこれらの支持脚４２が着衣やネクタイ等に接触し、これによってクリップの姿勢が安定になるために、マイクロホン２７が倒れることなく所定の位置を向くようになる。従ってマイクロホン２７による集音効果が高まる。
【００３０】
このように本実施の形態のマイクロホン用クリップは、支持脚４２をベース１０と底板３２との間に収納した状態においては、従来の支持脚４２を有しないクリップと同様の外観を有する。なお摺動子４８の操作子５３は図３に示すようにベース１０の両側に突出した状態になっている。
【００３１】
ベース１０と底板３２との間に収納されている一対の支持脚４２の係合ピン４４が底板３２のカム溝４１に係合され、支持脚４２の支点ピン４５が摺動子４８のピン孔４９に係合されている。そして上述の如く一対のカム溝４８の間隔が図１０および図１１に示すように右方に行くに従って次第に狭くなるようにカム溝４８が斜めになっており、このために摺動子４８を左方に移動させると図１０に示すように一対の支持脚４２が収納される。これに対して摺動子４８を右方に移動させると図１１に示すように開放されるようになる。
【００３２】
次に別の実施の形態を図１２および図１３によって説明する。この実施の形態は携帯式のテープレコーダ（例えば商品名ウォークマン）等の操作ユニット５７に関するものである。操作ユニット５７はテープレコーダの状態を操作するための複数の操作部５８、５９、６０を備え、これらによってテープレコーダによる音声の再生の各種の調整や制御を行なうようにしている。
【００３３】
しかもこの操作ユニット５７には一対の支持脚４２が開閉自在に取付けられている。なおこれらの支持脚４２の支持および開閉の構造は上記第１の実施の形態のクリップの支持脚４２の開閉の構造と同一であってよい。従ってこのような操作ユニット５７によれば、この操作ユニット５７を机上で用いる際には一対の支持脚４２を開いて机上に安定に載置することが可能になる。従って操作性に優れた操作ユニットを提供できることになる。
【００３４】
以上本願発明を図示の実施の形態によって説明したが、本願発明は上記実施の形態によって限定されることなく、本願に含まれる発明の技術的思想の範囲内で各種の変更が可能である。例えば上記第１の実施の形態は、マイクロホンを保持するクリップに関するものであるが、マイクロホン以外の物、例えば外付け用カメラを支持するクリップに用いるようにしてもよい。あるいはまた小型のスピーカを保持するためのスピーカ用クリップに適用することも可能である。
【産業上の利用可能性】
【００３５】
本願発明はマイクロホンを保持するクリップを机上で安定に支持してスタンドの機能を付加するための支持装置として利用可能である。
【図面の簡単な説明】
【００３６】
【図１】マイクロホン用クリップの分解斜視図である。
【００３７】
【図２】同クリップの側面図である。
【００３８】
【図３】同クリップの底面図である。
【００３９】
【図４】同クリップの正面図である。
【００４０】
【図５】支持脚を開いた状態のクリップの側面図である。
【００４１】
【図６】同クリップの底面図である。
【００４２】
【図７】同クリップの正面図である。
【００４３】
【図８】クリップの底板の平面図である。
【００４４】
【図９】クリップの底板の底面図である。
【００４５】
【図１０】底板を取外したクリップの底面図である。
【００４６】
【図１１】同支持脚を開いた状態の底面図である。
【００４７】
【図１２】テープレコーダ用の操作ユニットの外観斜視図である。
【００４８】
【図１３】同操作ユニットの底面図である。
【符号の説明】
【００４９】
１０‥‥ベース、１１‥‥押えレバー、１２‥‥壁部、１３‥‥ピン、１４‥‥押えばね、１５‥‥ブラケット、１６‥‥ピン挿通孔、２０‥‥突部、２１‥‥凹部、２２‥‥支持台、２３‥‥挿入孔、２４‥‥受け、２５‥‥支軸、２６‥‥突条、２７‥‥マイクロホン、２８‥‥周溝、３２‥‥底板、３３、３４‥‥雌ねじ孔、３５、３６‥‥ビス、３７、３８‥‥ビス挿通孔、４０‥‥保持用凹部、４１‥‥カム溝、４２‥‥支持脚、４３‥‥突部、４４‥‥係合ピン、４５‥‥支点ピン、４８‥‥摺動子、４９‥‥ピン孔、５０‥‥弾性片、５１‥‥突部、５２‥‥凹部、５３‥‥操作子、５７‥‥操作ユニット、５８〜〜６０‥‥操作部
【図１】
2005101776.tif 000003
【図２】
2005101776.tif 000004
【図３】
2005101776.tif 000005
【図４】
2005101776.tif 000006
【図５】
2005101776.tif 000007
【図６】
2005101776.tif 000008
【図７】
2005101776.tif 000009
【図８】
2005101776.tif 000010
【図９】
2005101776.tif 000011
【図１０】
2005101776.tif 000012
【図１１】
2005101776.tif 000013
【図１２】
2005101776.tif 000014
【図１３】
2005101776.tif 000015